(57)【特許請求の範囲】
【請求項１】
少なくとも撮影手段を含む筐体を備えた写真撮影装置であって、上記撮影手段は、前面部が、静止状態で配置されている表側部材と、その内側に回転可能な状態で配置された内側部材との２重構造になっており、上記内側部材にカメラが固定されるとともに、上記内側部材の軸心部であって表側部材側に露出するようカメラのレンズが配置され、上記内側部材にモニタ画面を形成するモニタ装置が固定され、上記表側部材には、上記モニタ画面を見せるための２つの開口窓が、上記内側部材の回転方向において９０度の位相角をもって配置され、表側部材に設けられたカメラ回転ボタンの操作により、内側部材とカメラとモニタ装置を一体として９０度回転させる回転駆動モータを備えていることを特徴とする写真撮影装置。
【発明の詳細な説明】
【０００１】
【発明の属する技術分野】
本発明は、ゲームセンター等に設置され、硬貨等の投入により使用者を含む被写体を撮影し、撮影画像を写真プリント等として販売する写真自販機の写真撮影装置に関するものである。
【０００２】
【従来の技術】
近年、ゲームセンター等において、写真を撮影してシールプリント等にする写真自販機が数多く設置されている。このような写真自販機としては、一般に、図９に示すようなものが用いられている。このものは、筐体５２Ａの内部に、ほぼ４５°の角度をもってミラー５３Ａが設けられている。このミラー５３Ａの奥に、被写体を撮影するカメラ５５Ａが設けられ、ミラー５３Ａの下方には、上記カメラ５５Ａで撮影された画像を表示するモニタ５６Ａが設けられている。一方、筐体５２Ａと対をなす形で撮影ブース５９Ａが配置され、そこで被写体５４Ａが撮影される。図において５１Ａはコントローラ、５７Ａは写真プリント５８Ａを印刷するプリンタである。
【０００３】
上記写真自販機では、ミラー５３Ａを透してカメラ５５Ａで撮影された画像がモニタ５６Ａに表示され、このモニタ５６Ａに表示された画像がミラー５３Ａに反射して被写体５４Ａによって確認できるようになっている。そして、被写体は、モニタ５６Ａに映った自分の姿を確認しながら所望のポーズをとり、好みのところでコントローラ５１Ａを操作して静止画を撮影することが行われる。そして、この静止画は、適当なフレームや前景の画像と合成されて写真プリント５８Ａとして印刷される。
【０００４】
【発明が解決しようとする課題】
上述のような形式の写真撮影装置は、筐体５２Ａに対して撮影ブース５９Ａを付加的に組合わせるという考え方で形成されている。このようなものであると、筐体５２Ａの前面が撮影ブース５９Ａの１内壁を形成し、しかも、筐体の内部からカメラ５５Ａが動作することとなる。したがって、被写体５４Ａが活用できる撮影スペースは、筐体５２Ａの前側だけの限られた狭い領域となり、複数の被撮影者が好みのポーズを取るようなことが困難となる。
【０００５】
本発明は、このような事情に鑑みなされたもので、被写体が活用できる撮影スペースをより広く、しかも多様性のある写真撮影装置の提供を目的とする。
【０００６】
【課題を解決するための手段】
上記目的を達成するため、本発明の写真撮影装置は、少なくとも撮影手段を含む筐体を備えた写真撮影装置であって、上記撮影手段は、前面部が、静止状態で配置されている表側部材と、その内側に回転可能な状態で配置された内側部材との２重構造になっており、上記内側部材にカメラが固定されるとともに、上記内側部材の軸心部であって表側部材側に露出するようカメラのレンズが配置され、上記内側部材にモニタ画面を形成するモニタ装置が固定され、上記表側部材には、上記モニタ画面を見せるための２つの開口窓が、上記内側部材の回転方向において９０度の位相角をもって配置され、表側部材に設けられたカメラ回転ボタンの操作により、内側部材とカメラとモニタ装置を一体として９０度回転させる回転駆動モータを備えていることを要旨とする。
【０００７】
このため、いわゆるワンタッチのボタン操作で横長写真と縦長写真の撮影切換ができるので、簡単な操作で好みの写真形態がもとめられ、被写体にとって満足の行く写真が入手できる。
【０００８】
本発明の写真撮影装置において、上記筐体が撮影ブース内に収容された形態で配置されているとともに、上記筐体の周辺には被写体のための撮影スペースが設けられている場合には、筐体自体をできるだけコンパクトに構成し、それを撮影ブース内に持ち込んだような状態となる。したがって、筐体の周辺に撮影スペースが十分な広さやスペース形状で確保することができる。さらに、このようなスペース上の利点から、筐体に付与された機能を撮影スペースとの有機的な関連において効果的に発揮させることができる。また、筐体を撮影ブース内へ収容する態様であるから、筐体自体の外形デザインを機能性を向上させつつまとめることができる。
【０００９】
本発明の写真撮影装置において、上記筐体が可搬性のある状態で独立したユニットとして形成されている場合には、撮影ブース内において好みの場所に筐体が配置できる。例えば、筐体を撮影ブースの端部に寄せたりすることにより、撮影ブースに少しでも多くの被写体が入って撮影をすることが可能となる。さらに、広い撮影スペースが必要とされる躍動的なポーズを自由にとることが可能となり、写真の趣向が著しく拡大される。
【００１０】
一方、筐体は独立したユニットとして製作されるので、筐体だけをゲームセンターなどの目的地へ運び、現地で撮影ブース内に収容することが簡単に行える。また、筐体をできるだけ小型化しておくことにより、輸送し易くなり物流面で有利である。
【００１１】
本発明の写真撮影装置において、上記筐体を撮影ブースの中央奥側に配置することにより、撮影ブース内には筐体の前側と両側に上記撮影スペースが形成される場合には、筐体が撮影ブースの中央の奥まった箇所に位置することにより、筐体の左右両側および前側に撮影スペースが確保できる。したがって、多数の被写体が本写真撮影装置を一時に利用でき、また、躍動的なポーズを自由に取ることが可能となる。
【００１２】
本発明の写真撮影装置において、上記撮影手段が、筐体から撮影ブース内の空間に向かって突出した状態で配置され、被写体を複数の撮影光軸で撮影しうる場合には、撮影光軸を多角的に駆使することにより、筐体の前側や左右に確保された撮影スペースの全域にわたって撮影が可能となる。
【００１３】
本発明の写真撮影装置において、上記撮影手段が、ほぼ鉛直方向の第１の軸と、ほぼ水平方向の第２の軸と、上記第１の軸と上記第２の軸との両軸に対してほぼ直交する第３の軸の各軸を中心にして回転しうるように支持されている場合には、撮影手段がいわゆるＸ，Ｙ，Ｚの３軸を中心にした回転をするので、筐体の周辺に確保された撮影スペースに対して不足することなく自由自在に撮影光軸を仕向けることができる。
【００１４】
本発明の写真撮影装置において、上記撮影手段全体が上下方向に移動しうるように支持されている場合には、上記の３次元的な撮影光軸の変化に加えて、撮影手段の高さが選べるので、より一層多様性に富んだ撮影が可能となる。
【００１５】
本発明の写真撮影装置において、上記第１の軸が撮影手段の１部を形成する支持ケースに回転可能な状態で支持され、上記支持ケースに対してカメラを収容するカメラケースが上記第３の軸を中心にして回転しうるように組合され、上記第１の軸に結合された支持部材が上記第２の軸に結合され、しかも上記第２の軸が上下方向に移動しうるように支持されている場合には、カメラケースに収容されているカメラ自体は、上述のようないわゆるＸ，Ｙ，Ｚの３軸を中心にして回転することができ、しかもカメラは上下方向に位置が変更できるので、筐体の周辺に確保された撮影スペースに対して不足することなく自由自在に撮影光軸を仕向けることができる。
【００１６】
本発明の写真撮影装置において、上記第２の軸を上下方向に移動させる移動機構が筐体ボックスに収容されている場合には、機構類を覆い隠して外観的に良好な筐体がえられる。さらに、上下方向の移動のための機構であるから、機構自体は上下方向のスペースが必要であり、このようなスペース的事情に対するカバー部材としてスリムな筐体ボックスのデザインが成立する。また、上記のスリムなデザインにより、筐体の占有空間を可及的に小さくすることが可能となる。特に、上述の撮影手段を撮影ブース内の空間に向かって突出させるためには、このスリムな筐体デザインが有効かつ重要となり、突出した撮影手段の機能が如何なく発揮される。
【００１７】
本発明の写真撮影装置において、上記筐体ボックスの上側に上記移動機構が収容され、筐体ボックスの下側に少なくとも撮影画像の記憶等を行うコンピュータ装置が収容されている場合には、上記機構部分とコンピュータ装置に代表される制御部分とが上下に分割した態様で配置できるので、筐体ボックスの内部構造としてまとめ易くなる。換言すると、機械構造的な部材と制御に必要なコンピュータ装置等の制御部材が混在しないことによる利点である。同時に、このような分割配置により、生産面での分業化が行い易くなり、しかも保守整備においても便利である。さらに、筐体ボックスの上側が上述のようにスリムな形態となり、同ボックスの下側がコンピュータ装置やそれに接続されているコイン等処理ユニットや磁気カード記録ユニット等の配置により上側よりも大きな形状となる。したがって、アップライトな筐体の下側に大きな部分を配置し、上側に背の高い部分を配置して、筐体の重心位置を低くして、安定性よく筐体を形成することができる。この点は、特に、筐体にキャスターを取付けて移動可能にした場合に、移動安定性の面で有利である。
【００１８】
本発明の写真撮影装置において、上記撮影ブースの中央奥側に配置された上記筐体に対面させて案内モニタが配置されている場合には、被写体の人々が撮影ブース内のどの位置からでも見ることができ、案内モニタにしたがったボタン操作等ができる。
【００１９】
本発明の写真撮影装置において、上記撮影ブースの中央奥側に配置された上記筐体に対面させて出入口が設けられ、この出入口の上側に案内モニタが配置されている場合には、被写体の人々が撮影ブース内のどの位置からでも見ることができ、同時に、入口から入って上側後方を見上げれば直ちに案内モニタを視認することができて、便利である。特に、このような箇所に案内モニタが配置されていることにより、筐体周辺の撮影スペース、換言すると撮影空間が可及的に大きく確保できることとなり、大勢の被写体が撮影するときにも不要なものが撮影されないという利点がある。
【００２０】
本発明の写真撮影装置において、上記撮影ブースの中央奥側に配置された上記筐体に対面させて案内モニタが配置され、上記案内モニタの両側に操作手段が設けられている場合には、筐体と操作手段との相対位置が近い関係にあり、しかも複数の被写体が両方の操作手段を操作できて、写真撮影装置の使い勝手が向上する。
【００２１】
本発明の写真撮影装置において、上記撮影ブースの中央奥側に配置された上記筐体に対面させて出入口が設けられ、この出入口の両側に操作手段が設けられている場合には、筐体と操作手段との相対位置が近い関係にあり、しかも複数の被写体が両方の操作手段を操作できて、写真撮影装置の使い勝手が向上する。さらに、出入口の上側に案内モニタが配置されている場合には、出入口の周辺を利用して案内モニタや操作手段が配置できて、配置構造的にまとまりが向上する。
【００２２】
本発明の写真撮影装置において、上記撮影ブースの内壁に閃光照明装置が取付けられている場合には、上記内壁からの閃光により、被写体が良好な照明を受けることとなり、質のよい写真がえられる。
【００２３】
本発明の写真撮影装置において、上記閃光照明装置からの閃光が撮影ブースの内壁に向かって照射される場合には、上記内壁で多角的に反射した光線により、被写体は間接照明的な照明を受け、したがって、過度な影が顔や服装等にできることがなく、良質な写真がえられる。
【００２４】
また、上記目的を達成するため、本発明の写真撮影装置は、少なくとも撮影手段を含む筐体を備えた写真撮影装置であって、筐体から突出した状態で撮影手段が設けられ、上記撮影手段は、ほぼ鉛直方向の第１の軸と、ほぼ水平方向の第２の軸と、上記第１の軸と上記第２の軸との両軸に対してほぼ直交する第３の軸の各軸を中心にして回転しうるように支持されていることを要旨とする。
【００２５】
上記のような挙動を撮影手段に可能ならしめることにより、撮影手段がいわゆるＸ，Ｙ，Ｚの３軸を中心にした回転をするので、筐体の周辺に確保された撮影スペースに対して不足することなく自由自在に撮影光軸を仕向けることができる。そして、このような有用性を持った撮影手段は、多種多様に応用することができ、この種の写真撮影装置の分野において幅広く活用することができる。
【００２６】
本発明の写真撮影装置において、上記第１の軸が撮影手段の１部を形成する支持ケースに回転可能な状態で支持され、上記支持ケースに対してカメラを収容するカメラケースが上記第３の軸を中心にして回転しうるように組合され、上記第１の軸に結合された支持部材が上記第２の軸に結合され、しかも上記第２の軸が上下方向に移動しうるように支持されている場合には、カメラケースに収容されているカメラ自体は、上述のようないわゆるＸ，Ｙ，Ｚの３軸を中心にして回転することができ、しかもカメラは上下方向に位置が変更できるので、筐体の周辺に確保された撮影スペースに対して不足することなく自由自在に撮影光軸を仕向けることができる。
【００２７】
本発明の写真撮影装置において、上記支持ケースおよびカメラケースが、ほぼ円筒型の形状とされている場合には、上記支持ケースをなす円筒部分とカメラケースをなす円筒部分とを同軸の状態で接続することにより、全体として円筒形状を維持したままカメラケースを上記第３の軸回りに回転させることが行い易くなる。
【００２８】
【発明の実施の形態】
つぎに、本発明の実施の形態を詳しく説明する。
【００２９】
図１〜図９は、本発明の写真撮影装置の一実施の形態を示す。この装置は、ほぼ直方形の空間からなる撮影ブース１の中に撮影手段等を備えた筐体２が収容された形態とされている。
【００３０】
上記撮影ブース１は、平板状の壁材で作られており、前後の壁材４，５、左右の壁材６，７と天井板８を組立てて構成されている。前側の壁材４にはその中央部に出入口９が設けられ、図２の２点鎖線図示や図３，図６の実線図示のように、カーテン１０で外部と仕切られている。出入口９の上側には支持板１１が配置され、その内側に案内モニタ１２が取付けられている。なお、符号１３は、出入口９の左右に配置した支柱であり、撮影ブース１の外観意匠を整える役割も果たしている。
【００３１】
上記筐体２は、縦長の筐体ボックス３に撮影手段，コンピュータ装置，コインセレクタ等が装備されている。筐体ボックス３は、後述の移動機構等が収容された上側ボックス１４と、やはり後述のコンピュータ装置等が収容された下側ボックス１５から構成されている。
【００３２】
上側ボックス１４の前面には、上下方向の細長い開口１６があけられ、ここから支持アーム１７が突き出ている。この支持アーム１７は撮影手段を上下に移動させるために、昇降可能とされている。すなわち、上側ボックス１４内に起立させたガイドポスト１８に摺動可能な状態で支持筒１９が組合され、この支持筒１９に上記支持アーム１７がしっかりと固定されている。ガイドポスト１８は支持筒１９内を貫通した状態とされ、昇降時の抵抗をできるだけ小さくするために、図示していないが、ガイドポスト１８と支持筒１９との間に鋼球が介在させてある。
【００３３】
撮影手段であるカメラＣはカメラケース２０内に収容されており、そのレンズ２１がカメラケース２０の前面部２２に配置されている。一方、カメラケース２０に組合された支持ケース２３が設けられ、両ケース２０と２３は、ほぼ円筒型の形状とされ、カメラケース２０の端部に形成した円周方向の溝２４の中に、支持ケース２３の端部に形成した内向きのフランジ２５がはまり込んでいる。このはまり込みは、円筒型の両ケース２０，２３が円筒の軸線を中心にして相対的に回転できるような嵌合度としてある。
【００３４】
上記支持ケース２３には上下に２本の軸２６，２７が回転可能な状態で支持され、円弧型の支持部材２８の端部に両軸２６，２７が固定されている。両軸２６，２７は、ほぼ鉛直方向に配置され「第１の軸」とされている。上記支持アーム１７には、回転可能な状態で支持軸２９が支持され、その配置姿勢はほぼ水平方向とされ支持軸２９が「第２の軸」とされている。そして、上記支持ケース２３に対するカメラケース２０の回転軸線は、上記第１の軸と第２の軸の双方に対して直交した関係とされ、この直交した軸が「第３の軸」とされている。なお、カメラケース２０の左右には突起状の取っ手３３，３３が固定され、使用者はここを持ってカメラケース２０を回転させたり、上下移動を行う。
【００３５】
上記の回転動作の回転角度を選定することにより、カメラアングルに多様性を持たせることができる。すなわち、第１の軸回りと第２の軸回りの回転を３６０度可能にしておく。これにより、カメラＣを第２の軸回り動作で下向きにしてから上方に移動させれば、被写体を真上から撮影することができる。また、カメラＣを第２の軸回り動作で上向きにしてから下方に移動させれば、被写体を真下から撮影することができる。これらの動作に加えて、第１の軸回り動作を複合させることにより、斜め下方向や斜め上方向のカメラアングルが実現する。以上のような回転角の設定により、写真撮影装置としての機能が大幅に拡大できて、使用者の満足度が一層向上する。
【００３６】
上記の３軸回りの回転動作および上下移動は手動式であるが、これを電動モータ等の駆動源を用いてスイッチ等の操作で行うことも可能である。
【００３７】
さらに、上記駆動源を採用する場合、１部の動きを手動式とし、他の動きを駆動源を用いて行うような併用型にすることができる。この場合には、上記３軸回りの回転動作は比較的軽い力でできるのでこれを手動式とし、上下移動はかなり重たいので駆動源を使って上下させる。このように必要性の高い箇所に電動モータ等の駆動源を配置することにより、操作性を高めて構造を簡素化するとともに原価的にも効果的となり、使用者のニーズに首尾よく適合させることができる。
【００３８】
上記ガイドポスト１８は、その上下が上側ボックス１４と下側ボックス１５を形成する板材に強固に固定されている。ガイドポスト１８の上部に滑車３０が固定され、これに掛け渡したワイヤロープ３１の一端が支持筒１９に結合され、他端がウエイト３２に結合されている。こうすることによって、カメラケース２０を持ちあげる時の力を軽減している。そして、開口１６の内側には蛇腹３４が取り付けられ、支持アーム１７の上下動に連動して伸縮し、上側ボックス１４の内部が見えないようになっている。
【００３９】
上記カメラケース２０の前面部２２には、被写体がとったポーズ等を写し出すモニタ画面３５が配置されている。また、レンズ２１に併用されるフィルタ３６が鎖線図示のように配置され、動作スイッチ３７を用いてフィルタ３６の開閉を行うようになっている。
【００４０】
上記の構造説明は、主として図４および図５（Ａ）にしたがったものであるが、図５（Ｂ１），（Ｂ２），（Ｂ３）の変形例を説明する。これは、前面部が２重構造になっているもので、符号２２Ａは静止状態で配置されている円形の表板であり、その内側に回転可能な状態で円形の内板２２Ｂが配置されている。この内板２２Ｂの中心部にカメラＣが固定され、表板２２Ａにレンズ２１が露出している。また、内板２２Ｂにはモニタ画面３５を形成するモニタ装置３５Ａが固定されている。モニタ画面３５を見るために、表板２２Ａに窓孔２２Ｃがここでは２つ開口させてある。２つの窓孔２２Ｃは、（Ｂ１）に示されているように回転方向で９０度の位相角をもって配置されている。
【００４１】
内板２２Ｂを回転させるために、中空軸２２Ｄが内板２２Ｂに固定され、この軸２２Ｄは表板２２Ａを貫通している。この中空軸２２Ｄの中にカメラＣのレンズ２１がはめ込んである。
【００４２】
内板２２Ｂを回転駆動する方法はいろいろなものが採用できるが、ここでは歯車構造のタイプである。すなわち、内板２２Ｂにリング状の内歯歯車２２Ｅが固定され、それに駆動歯車２２Ｆがかみ合っている。符号２２Ｇは駆動歯車２２Ｆを回す電動モータであり、静止部材に固定されている。表板２２Ａに取付けられたカメラ回転ボタン３７Ａを押すと、電動モータ２２Ｇが駆動されるように構成されている。また、シャッタボタン３７Ｂを押すと、カメラＣのシャッタが動作するように構成されている。
【００４３】
（Ｂ１）は、横長画像の写真になるように上側の窓孔２２Ｃにモニタ画面３５が見えている状態である。いま、カメラ回転ボタン３７Ａを押すと、内板２２ＢとカメラＣとモニタ装置３５Ａが一体になって回転する。回転角が９０度になってカメラＣも９０度回転しモニタ画面３５が下側の窓孔２２Ｃに合致すると、今度は縦長画像の写真になる。横長あるいは縦長の好みの箇所でシャッタボタン３７Ｂを押して撮影を行う。このように、いわゆるワンタッチのボタン操作で横長写真と縦長写真の撮影切換ができるので、簡単な操作で好みの写真形態がもとめられ、被写体にとって満足の行く写真が入手できる。
【００４４】
上記の９０度回転の動作は電動モータ２２Ｇを用いて行っているが、これにかえて上記内板２２Ｂに結合されている取っ手を配置して、手動で９０度回転を行うことも可能である。この手動方式の場合、カメラＣの上下移動はかなり重たいので駆動源を使って上下させる。このように必要性の高い箇所に電動モータ等の駆動源を配置することにより、操作性を高めて構造を簡素化するとともに原価的にも効果的となり、使用者のニーズに首尾よく適合させることができる。
【００４５】
上記筐体２の下側ボックス１５には、コンピュータ装置３８が配置されている。下側ボックス１５の前面には磁気カード挿入口３９，コイン投入口４０，紙幣挿入口４１，返却口４２，メモリカード差込口４３等があけられている。これらに対応する磁気カード記録ユニット４４，コイン等処理ユニット４５等が下側ボックス１５の前面内側に配置されている。これらのユニット等は図示のようにコンピュータ装置３８へ信号を投入したり、信号を受け取ったりしてそれぞれの機能を果たしている。
【００４６】
レンズ２１をとおして把握された被写体Ｍの映像データは、コンピュータ装置３８で記憶させるとともにリアルタイムでモニタ画面３５に写しだされる。これに際して必要とされる信号線は、外部から見えないように配線されている。そのためには種々な方法が採用できるが、ここでは信号線が軸２６，２７，支持部材２８，支持軸２９等の内部を通過させられている方式であり、コイル状の伸縮線４６を経てコンピュータ装置３８に接続されている。伸縮線４６の下端は静止部材である固定具４７に結合されている。
【００４７】
上記案内モニタ１２の近傍にスピーカ４８が配置され、コンピュータ装置３８から動作信号が案内モニタ１２とスピーカ４８に送られるようになっている。
【００４８】
図３に示されているように、操作内容の選択，カメラ移動，画面スクロール等を行う動作スイッチ４９や上記動作のための決定・取消しボタン５０が出入口９の左右に配置されている。また、これらのボタン４９，５０は筐体２や案内モニタ１２に近いことが便利であるので、出入口９の位置が変わった場合でも、案内モニタ１２の両側に配置することが便利である。なお、これらのボタン４９，５０は、筐体ボックス３の前面部、例えば、上側ボックス１４の前面部に配置することも可能である。
【００４９】
筐体ボックス３は、ガイドポスト１８や支持筒１９等から構成された移動機構が上側ボックス１４内に収容され、下側ボックス１５に上記のコンピュータ装置３８やそれに関連しているユニット類が収容されている。したがって、上下方向の長尺性がある移動機構が上側ボックス１４内に収容されるために、上側ボックス１４はスリムな形態となる。また、下側ボックス１５には上述のようなユニット等が収容されているので、平面的に見ると上側ボックス１４よりも大きな形状となる。
【００５０】
筐体ボックス３を所望の位置に移動させるために、移動手段が下側ボックス１５の下側に配置されている。それの具体的な構造にはいろいろなものが採用できるが、ここではキャスター５１が用いられている。このように移動可能な構造とする場合には、コイン等の盗難防止を考慮して、出入口９の間口等を筐体ボックス３が通過できないように設定しておくことが重要である。また、図示していないが、キャスター５１で所望の位置に筐体ボックス３を移動させてから、固定する構造を設けておく。
【００５１】
図８に示されている場合は、筐体ボックス３が撮影ブース１の左端に寄せ付けられたもので、その右側には奥行きの深い撮影スペースが形成される。
【００５２】
図９は、照明手段を示している断面図であり、同図に示された閃光照明装置について説明する。閃光照明装置全体は符号５２で示され、照明ボックス５３とその内部に配置されるストロボ５４から構成されている。上記照明ボックス５３は、平たくて四角い不透明のカバー板５５と、その上下に結合された透光板５６と、カバー板５５の内面に固定されたストロボ５４等によって構成されている。この透光板５６は、カバー板５５の上下の辺に結合され、ストロボ５４からの閃光が撮影ブース１を形成する内面に向かって照射され易くするために、傾斜した状態で配置されている。そして、透光板５６は、例えば、透明または半透明の合成樹脂製の板で作られている。
【００５３】
上記透光板５６からの閃光は、壁材４に直交している隣接した他の面、すなわち天井板８の内面や床面５７に向かって照射される。この閃光は、天井板８の内面や床面５７で拡散される。閃光を反射し易い白色あるいはアイボリーホワイトのように明るい表面色の面で閃光を反射・拡散させるのが照明効果を高めるのに有利である。このように隣接した直交壁面に閃光を照射する構造が撮影ブース１内の複数箇所に配置されていることにより、図９に示されたような多数の反射光が被写体Ｍに照射され、被写体には影のない、あるいは影があっても気にならないような閃光照明が施される。
【００５４】
以上に説明した撮影ブース１とその中に収容された筐体ボックス３は、機能的には撮影だけを行う形式とされている。したがって、図７に示されているように、編集を行うための手段が組合されている。
【００５５】
編集作業のための編集ブースは符号５８で示され、サーバ５９を介して編集用のコンピュータ装置６０が撮影用のコンピュータ装置３８に接続されている。編集ブース５８には、上記磁気カードの読取装置６１，編集用のディスプレイ６２とそのタッチペン６３，プリンタ６４，プリンタ６４に内蔵されたカッタ６５等が配置され、また、符号６６はプリンタ６４から出てきた印刷媒体である。なお、符号６７はスピーカである。
【００５６】
以上に説明した撮影ブース１と編集ブース５８における動作を説明する。
【００５７】
被撮影者である被写体Ｍが撮影ブース１内に入り、まず、所定額のコインをコイン投入口４０に入れ、ここでコインがチェックされ金額等が正常であるかどうかが判定される。これによって、使用可能となったコンピュータ装置３８からの信号を受けて案内モニタ１２に操作手順が表示され、被写体Ｍはこの手順にしたがって動作スイッチ４９を選択して押し、決定・取消しボタン５０で次への進行を指示することにより、各種の操作信号がコンピュータ装置３８に送られる。この操作の途上で、被写体Ｍは自己の画像をモニタ画面３５で確認しながら気に入った画像になったタイミングでシャッタ操作を行う。このような撮影は種々なポーズに応じて複数回にわたって行われる。
【００５８】
上記シャッタ操作で撮影された複数の画像データは、全てコンピュータ装置３８を経てサーバ５９に格納される。このとき、各撮影画像の画像データにそれぞれ撮影画像番号等が割当てられ、各画像データは、上記撮影画像番号等と関連付けた形でサーバ５９に格納される。そして、撮影画数が所定の数量になったときには、撮影画像番号等の信号がコンピュータ装置３８から磁気カード記録ユニット４４へ送られており、被写体Ｍは撮影画像番号等が記録された磁気カードを同ユニット４４から受領する。
【００５９】
ついで、被写体Ｍは編集ブース５８に入り、上記の磁気カードを読取装置６１にセットし、編集用のディスプレイ６２にタッチペン６３を用いて撮影画像番号等を打込んだりすることにより、上記サーバ５９に格納された画像データを編集用のコンピュータ装置６０に読み出して、ディスプレイ６２に表示する。そして、被写体Ｍは、ディスプレイ６２に表示された撮影画像を吟味して、気に入った撮影画像を選定し、編集作業を行う。
【００６０】
この編集作業は、例えば、上記タッチペン６３を用いて行われ、タッチペン６３の先端をディスプレイ６２の表面に接触させて文字や図形等を描いて入力しうるようになっており、手書き入力された文字・図形等の画像データやスタンプ画像等を、上記の撮影画像にコンピュータ装置６０で合成する。この合成された画像をディスプレイ６２に表示させ、最終的に確認してからこの合成画像をプリンタ６４で印刷して、編集ブース５８での作業が完了する。
【００６１】
上述のように図７は、撮影ブース１と編集ブース５８とが分離した形態であるが、本発明を実施しその利点を享受するに当たっては、上記両ブース１，５８を一体化して撮影と編集および印刷を同一筐体で行う形態にしても、何ら変わるところはない。それを簡略的に示したのが図１０である。ここでは、筐体２において編集作業ができるようにしてあり、ディスプレイ６２とタッチペン６３が上側ボックス１４に配設してある。また、コンピュータ装置３８は撮影と編集の両方を担うことのできるものとされ、プリンタ６４もコンピュータ装置３８と同様に下側ボックス１５内に収容されている。
【００６２】
第１の実施の形態は、主として図１〜図６までに示されているように、少なくともカメラＣを備えた筐体２と、被写体Ｍが撮影される撮影ブース１とが対をなしている写真撮影装置であって、上記筐体２が撮影ブース１内に収容された形態で配置されているとともに、上記筐体２の周辺には被写体のための撮影スペースが設けられている。
【００６３】
このため、筐体２、すなわち筐体ボックス３自体をできるだけコンパクトに構成し、それを撮影ブース１内に持ち込んだような状態となる。したがって、筐体２の周辺に撮影スペースが十分な広さやスペース形状で確保することができる。さらに、このようなスペース上の利点から、筐体２に付与された機能を撮影スペースとの有機的な関連において効果的に発揮させることができる。また、筐体２を撮影ブース１内へ収容する態様であるから、筐体２自体の外形デザインを機能性を向上させつつまとめることができる。
【００６４】
第２の実施の形態は、上記筐体２が可搬性のある状態で独立したユニットとして形成されている場合である。それ以外は、上記実施の形態と同様であり、同様の部分には同じ符号を付している。
【００６５】
撮影ブース１内において被写体Ｍの好みの場所に筐体２が配置できる。例えば、図８に示したように筐体２を撮影ブース１の端部に寄せたりすることにより、撮影ブース１に少しでも多くの被写体が入って撮影をすることが可能となる。さらに、広い撮影スペースが必要とされる躍動的なポーズを自由にとることが可能となり、写真の趣向が著しく拡大される。
【００６６】
一方、筐体２は独立したユニットとして製作されるので、筐体２だけをゲームセンターなどの目的地へ運び、現地で撮影ブース１内に収容することが簡単に行える。また、筐体２をできるだけ小型化しておくことにより、輸送し易くなり物流面で有利である。それ以外は、上記実施の形態と同様の作用効果を奏する。
【００６７】
第３の実施の形態は、上記筐体２を撮影ブース１の中央奥側に配置することにより、撮影ブース1内には筐体の前側と両側に上記撮影スペースが形成される場合である。それ以外は、上記各実施の形態と同様であり、同様の部分には同じ符号を付している。
【００６８】
筐体２が撮影ブース１の中央の奥まった箇所に位置することにより、筐体２の左右両側および前側に撮影スペースが確保できる。したがって、多数の被写体Ｍが本写真撮影装置を一時に利用でき、また、躍動的なポーズを自由に取ることが可能となる。それ以外は、上記各実施の形態と同様の作用効果を奏する。
【００６９】
第４の実施の形態は、上記撮影手段が、筐体２の上側ボックス１４から撮影ブース１内の空間に向かって突出した状態で配置され、被写体Ｍを複数の撮影光軸で撮影しうる場合である。それ以外は、上記各実施の形態と同様であり、同様の部分には同じ符号を付している。
【００７０】
撮影光軸を多角的に駆使することにより、筐体２の前側や左右に確保された撮影スペースの全域にわたって撮影が可能となる。それ以外は、上記各実施の形態と同様の作用効果を奏する。また、筐体２を平面的に上から見ると、上側ボックス１４の断面積は小さく、下側ボックス１５の断面積は大きくなっている。このように断面積の小さな上側ボックス１４に突起物であるカメラＣを配置することによって、カメラＣの突出状態を実質的に小さくして、筐体２としてのまとまりが良好となる。
【００７１】
第５の実施の形態は、上記撮影手段が、ほぼ鉛直方向に配置された軸２６，２７で形成された第１の軸と、ほぼ水平方向の支持軸２９で形成された第２の軸と、上記第１の軸と上記第２の軸との両軸に対してほぼ直交する第３の軸の各軸を中心にして回転しうるように支持されている場合である。第３の軸はカメラケース２０が支持ケース２３に対して回転する際の回転軸線である。それ以外は、上記各実施の形態と同様であり、同様の部分には同じ符号を付している。
【００７２】
撮影手段がいわゆるＸ，Ｙ，Ｚの３軸を中心にした回転をするので、筐体２の周辺に確保された撮影スペースに対して不足することなく自由自在に撮影光軸を仕向けることができる。それ以外は、上記各実施の形態と同様の作用効果を奏する。
【００７３】
第６の実施の形態は、上記撮影手段全体が上下方向に移動しうるように支持されている場合である。これは、主としてガイドポスト１８と支持筒１９で構成された移動機構により実現される。それ以外は、上記各実施の形態と同様であり、同様の部分には同じ符号を付している。
【００７４】
上記の３次元的な撮影光軸の変化に加えて、撮影手段の高さが選べるので、より一層多様性に富んだ撮影が可能となる。それ以外は、上記各実施の形態と同様の作用効果を奏する。
【００７５】
第７の実施の形態は、上記第１の軸が撮影手段の１部を形成する支持ケース２３に回転可能な状態で支持され、上記支持ケース２３に対してカメラＣを収容するカメラケース２０が上記第３の軸を中心にして回転しうるように組合され、上記第１の軸に結合された支持部材２８が上記第２の軸に結合され、しかも上記第２の軸が上下方向に移動しうるように支持されている場合である。それ以外は、上記各実施の形態と同様であり、同様の部分には同じ符号を付している。
【００７６】
カメラケース２０に収容されているカメラＣ自体は、上述のようないわゆるＸ，Ｙ，Ｚの３軸を中心にして回転することができ、しかもカメラＣは上下方向に位置が変更できるので、筐体２の周辺に確保された撮影スペースに対して不足することなく自由自在に撮影光軸を仕向けることができる。それ以外は、上記各実施の形態と同様の作用効果を奏する。
【００７７】
第８の実施の形態は、上記第２の軸を上下方向に移動させる移動機構が筐体ボックス３に収容されている場合である。上記移動機構は、主としてガイドポスト１８と支持筒１９で構成されている。また、上側ボックス１４の前面に形成した開口１６に蛇腹３４が取付けてある。それ以外は、上記各実施の形態と同様であり、同様の部分には同じ符号を付している。
【００７８】
上記移動機構等の機構類を覆い隠して外観的に良好な筐体２がえられる。さらに、上下方向の移動のための機構であるから、機構自体は上下方向のスペースが必要であり、このようなスペース的事情に対するカバー部材としてスリムな筐体ボックス３のデザインが成立する。また、上記のスリムなデザインにより、筐体２の占有空間を可及的に小さくすることが可能となる。特に、上述の撮影手段を撮影ブース１内の空間に向かって突出させるためには、このスリムな筐体デザインが有効かつ重要となり、突出した撮影手段の機能が如何なく発揮される。それ以外は、上記各実施の形態と同様の作用効果を奏する。
【００７９】
第９の実施の形態は、上記筐体ボックス３の上側に上記移動機構が収容され、筐体ボックス３の下側に少なくとも撮影画像の記憶等を行うコンピュータ装置３８が収容されている場合である。このために筐体ボックス３を上側ボックス１４と下側ボックス１５に分割している。それ以外は、上記各実施の形態と同様であり、同様の部分には同じ符号を付している。
【００８０】
上記機構部分とコンピュータ装置３８に代表される制御部分とが上下に分割した態様で配置できるので、筐体ボックス３の内部構造としてまとめ易くなる。換言すると、機械構造的な部材と制御に必要なコンピュータ装置等の制御部材が混在しないことによる利点である。同時に、このような分割配置により、生産面での分業化が行い易くなり、しかも保守整備においても便利である。さらに、筐体ボックス３の上側が上述のようにスリムな形態となり、同ボックスの下側がコンピュータ装置３８やそれに接続されているコイン等処理ユニット４５や磁気カード記録ユニット４４等の配置により上側よりも大きな形状となる。したがって、アップライトな筐体２の下側に大きな部分を配置し、上側に背の高い部分を配置して、筐体の重心位置を低くして、安定性よく筐体２を形成することができる。この点は、特に、筐体２にキャスター５１を取付けて移動可能にした場合に、移動安定性の面で有利である。それ以外は、上記各実施の形態と同様の作用効果を奏する。
【００８１】
第１０の実施の形態は、上記撮影ブース１の中央奥側に配置された上記筐体２に対面させて案内モニタ１２が配置されている場合である。それ以外は、上記各実施の形態と同様であり、同様の部分には同じ符号を付している。
【００８２】
被写体Ｍの人々が撮影ブース１内のどの位置からでも見ることができ、案内モニタ１２にしたがったボタン操作等ができる。それ以外は、上記各実施の形態と同様の作用効果を奏する。
【００８３】
第１１の実施の形態は、上記撮影ブース１の中央奥側に配置された上記筐体２に対面させて出入口９が設けられ、この出入口９の上側に案内モニタ１２が配置されている場合である。このために、出入口９の上側に支持板１１が設けられている。それ以外は、上記各実施の形態と同様であり、同様の部分には同じ符号を付している。
【００８４】
被写体Ｍの人々が撮影ブース１内のどの位置からでも見ることができ、同時に、入口９から入って上側後方を見上げれば直ちに案内モニタ１２を視認することができて、便利である。特に、このような箇所に案内モニタ１２が配置されていることにより、筐体２周辺の撮影スペース、換言すると撮影空間が可及的に大きく確保できることとなり、大勢の被写体Ｍが撮影するときにも不要なものが撮影されないという利点がある。それ以外は、上記各実施の形態と同様の作用効果を奏する。
【００８５】
第１２の実施の形態は、上記撮影ブース１の中央奥側に配置された上記筐体２に対面させて案内モニタ１２が配置され、上記案内モニタ１２の両側に操作手段である動作スイッチ４９や決定・取消しボタン５０が設けられている場合である。それ以外は、上記各実施の形態と同様であり、同様の部分には同じ符号を付している。
【００８６】
筐体２と操作手段との相対位置が近い関係にあり、しかも複数の被写体Ｍが両方の操作手段を操作できて、写真撮影装置の使い勝手が向上する。それ以外は、上記各実施の形態と同様の作用効果を奏する。
【００８７】
第１３の実施の形態は、上記撮影ブース１の中央奥側に配置された上記筐体２に対面させて出入口９が設けられ、この出入口９の両側に操作手段である動作スイッチ４９や決定・取消しボタン５０が設けられている場合である。それ以外は、上記各実施の形態と同様であり、同様の部分には同じ符号を付している。
【００８８】
筐体２と操作手段との相対位置が近い関係にあり、しかも複数の被写体Ｍが両方の操作手段を操作できて、写真撮影装置の使い勝手が向上する。さらに、出入口９の上側に案内モニタ１２が配置されている場合には、出入口９の周辺を利用して案内モニタ１２や操作手段が配置できて、配置構造的にまとまりが向上する。それ以外は、上記各実施の形態と同様の作用効果を奏する。
【００８９】
第１４の実施の形態は、上記撮影ブース１の内壁に閃光照明装置５２が取付けられている場合である。それ以外は、上記各実施の形態と同様であり、同様の部分には同じ符号を付している。
【００９０】
上記内壁からの閃光により、被写体Ｍが良好な照明を受けることとなり、質のよい写真がえられる。なお、図１から明らかなように、２つの閃光照明装置５２の間に筐体２が配置されることにより、撮影ブース１内のまとまりがコンパクトになる。それ以外は、上記各実施の形態と同様の作用効果を奏する。
【００９１】
第１５の実施の形態は、上記閃光照明装置５２からの閃光が撮影ブース１の内壁に向かって照射される場合である。それ以外は、上記各実施の形態と同様であり、同様の部分には同じ符号を付している。
【００９２】
上記内壁で多角的に反射した光線により、被写体Ｍは間接照明的な照明を受け、したがって、過度な影が顔や服装等にできることがなく、良質な写真がえられる。それ以外は、上記各実施の形態と同様の作用効果を奏する。
【００９３】
また、他の実施の形態は、少なくともカメラＣを含む筐体２を備えた写真撮影装置であって、筐体２から突出した状態でカメラＣが設けられ、上記カメラＣは、ほぼ鉛直方向に配置された軸２６，２７で形成された第１の軸と、ほぼ水平方向の支持軸２９で形成された第２の軸と、上記第１の軸と上記第２の軸との両軸に対してほぼ直交する第３の軸の各軸を中心にして回転しうるように支持されている場合である。
【００９４】
上記のような挙動をカメラＣに可能ならしめることにより、カメラＣがいわゆるＸ，Ｙ，Ｚの３軸を中心にした回転をするので、筐体２の周辺に確保された撮影スペースに対して不足することなく自由自在に撮影光軸を仕向けることができる。そして、このような有用性を持った撮影手段は、多種多様に応用することができ、この種の写真撮影装置の分野において幅広く活用することができる。
【００９５】
さらに次の実施の形態は、上記第１の軸が撮影手段の１部を形成する支持ケース２３に回転可能な状態で支持され、上記支持ケース２３に対してカメラを収容するカメラケース２０が上記第３の軸を中心にして回転しうるように組合され、上記第１の軸に結合された支持部材２８が上記第２の軸に結合され、しかも上記第２の軸が上下方向に移動しうるように支持されている場合である。それ以外は、上記実施の形態と同様であり、同様の部分には同じ符号を付している。
【００９６】
カメラケース２０に収容されているカメラ自体は、上述のようないわゆるＸ，Ｙ，Ｚの３軸を中心にして回転することができ、しかもカメラは上下方向に位置が変更できるので、筐体２の周辺に確保された撮影スペースに対して不足することなく自由自在に撮影光軸を仕向けることができる。それ以外は、上記実施の形態と同様の作用効果を奏する。
【００９７】
さらに次の実施の形態は、上記支持ケース２３およびカメラケース２０が、ほぼ円筒型の形状とされている場合である。また、カメラケース２０の溝２４に支持ケース２３のフランジ２５を嵌合している。それ以外は、上記各実施の形態と同様であり、同様の部分には同じ符号を付している。
【００９８】
上記支持ケース２３をなす円筒部分とカメラケース２０をなす円筒部分とを同軸の状態で接続することにより、全体として円筒形状を維持したままカメラケース２０を上記第３の軸回りに回転させることが行い易くなる。また、上記のような溝２４とフランジ２５との組合わせにより、いわばリング状の軸構造がえられ、支持ケース２３やカメラケース２０の内部空間が損なわれることなく、軸２６，２７やカメラの配置等にとって好都合である。さらに、図１や図２から明らかなように、支持ケース２３の左側はほぼ球形とされ、また、支持部材２８が円弧型とされていることにより、支持ケース２３と支持部材２８との干渉を防止することができる。それ以外は、上記各実施の形態と同様の作用効果を奏する。
【００９９】
【発明の効果】
以上のように、本発明の写真撮影装置によれば、いわゆるワンタッチのボタン操作で横長写真と縦長写真の撮影切換ができるので、簡単な操作で好みの写真形態がもとめられ、被写体にとって満足の行く写真が入手できる。
【０１００】
また、上記筐体が撮影ブース内に収容された形態で配置されているとともに、上記筐体の周辺には被写体のための撮影スペースが設けられているので、筐体自体をできるだけコンパクトに構成し、それを撮影ブース内に持ち込んだような状態となる。したがって、筐体の周辺に撮影スペースが十分な広さやスペース形状で確保することができる。さらに、このようなスペース上の利点から、筐体に付与された機能を撮影スペースとの有機的な関連において効果的に発揮させることができる。また、筐体を撮影ブース内へ収容する態様であるから、筐体自体の外形デザインを機能性を向上させつつまとめることができる。さらに、上記筐体が可搬性のある状態で独立したユニットとして形成されていることにより、撮影ブース内において被写体の好みの場所に筐体が配置できる。例えば、筐体を撮影ブースの端部に寄せたりすることにより、撮影ブースに少しでも多くの被写体が入って撮影をすることが可能となる。さらに、広い撮影スペースが必要とされる躍動的なポーズを自由にとることが可能となり、写真の趣向が著しく拡大される。
【０１０１】
一方、筐体は独立したユニットとして製作されるので、筐体だけをゲームセンターなどの目的地へ運び、現地で撮影ブース内に収容することが簡単に行える。また、筐体をできるだけ小型化しておくことにより、輸送し易くなり物流面で有利である。
【図面の簡単な説明】
【図１】本発明の一実施の形態の写真撮影装置を示す断面図である。
【図２】本発明の写真撮影装置を示す正面図である。
【図３】本発明の写真撮影装置を内側から見た内面図である。
【図４】本発明の写真撮影装置の断面図である。
【図５】図４の〔５Ａ〕−〔５Ａ〕断面図および他の変形例を示す図である。
【図６】図１の〔６〕−〔６〕断面図である。
【図７】本発明の写真撮影装置を全体的に示す側面図である。
【図８】本発明の写真撮影装置の断面図である。
【図９】図１の〔９〕−〔９〕断面図と照明ボックスの斜視図である。
【図１０】他の実施の形態を示す正面図である。
【図１１】従来例を示す断面図である。
【符号の説明】
Ｍ      被写体
１      撮影ブース
２      筐体
３      筐体ボックス
４      壁材
５      壁材
６      壁材
７      壁材
８      天井板
９      出入口
１０    カーテン
１１    支持板
１２    案内モニタ
１３    支柱
１４    上側ボックス
１５    下側ボックス
１６    開口
１７    支持アーム
１８    ガイドポスト
１９    支持筒
Ｃ      カメラ
２０    カメラケース
２１    レンズ
２２    前面部
２２Ａ  表板
２２Ｂ  内板
２２Ｃ  窓孔
２２Ｄ  中空軸
２２Ｅ  内歯歯車
２２Ｆ  駆動歯車
２２Ｇ  電動モータ
２３    支持ケース
２４    溝
２５    フランジ
２６    軸
２７    軸
２８    支持部材
２９    支持軸
３０    滑車
３１    ワイヤロープ
３２    ウエイト
３３    取っ手
３４    蛇腹
３５    モニタ画面
３５Ａ  モニタ装置
３６    フィルタ
３７    動作スイッチ
３７Ａ  カメラ回転ボタン
３７Ｂ  シャッタボタン
３８    コンピュータ装置
３９    磁気カード挿入口
４０    コイン投入口
４１    紙幣挿入口
４２    返却口
４３    メモリカード差込口
４４    磁気カード記録ユニット
４５    コイン等処理ユニット
４６    伸縮線
４７    固定具
４８    スピーカ
４９    動作スイッチ
５０    決定・取消しボタン
５１    キャスター
５２    閃光照明装置
５３    照明ボックス
５４    ストロボ
５５    カバー板
５６    透光板
５７    床面
５８    編集ブース
５９    サーバ
６０    編集用のコンピュータ装置
６１    読取装置
６２    編集用のディスプレイ
６３    タッチペン
６４    プリンタ
６５    カッタ
６６    印刷媒体
６７    スピーカ
【図１】
0004012402.tif 000002
【図２】
0004012402.tif 000003
【図３】
0004012402.tif 000004
【図４】
0004012402.tif 000005
【図５】
0004012402.tif 000006
【図６】
0004012402.tif 000007
【図７】
0004012402.tif 000008
【図８】
0004012402.tif 000009
【図９】
0004012402.tif 000010
【図１０】
0004012402.tif 000011
【図１１】
0004012402.tif 000012